(57)【要約】【課題】  被写体像表示用の表示手段に対する視認性を向上させることができるデジタルカメラを得る。【解決手段】  ＣＰＵ４０は、液晶ディスプレイ３８による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像の撮影条件に関する情報との何れか一方を表示するように液晶ディスプレイ３８を制御するに際し、前記第１の被写体像を表示するときは前記第３の被写体像及び前記撮影条件に関する情報の何れか一方を前記第１の被写体像に重ねて表示するように液晶ディスプレイ３８を制御し、前記第２の被写体像を表示するときは前記第３の被写体像及び前記撮影条件に関する情報の何れか一方を液晶ディスプレイ３８の表示領域における空き領域に表示するように液晶ディスプレイ３８を制御する。【選択図】        図２
2005253003.tif 000002
【特許請求の範囲】
【請求項１】
撮像によって被写体像を示すデジタル画像データを取得する撮像手段と、
前記デジタル画像データにより示される被写体像を表示するための表示手段と、
前記デジタル画像データにより示されると共に前記表示手段による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像に関連する画像関連情報との何れか一方を表示するように前記表示手段を制御する制御手段と、を備え、
前記制御手段は、前記第１の被写体像を表示するときは前記第３の被写体像及び前記画像関連情報の何れか一方を前記第１の被写体像に重ねて表示するように前記表示手段を制御し、前記第２の被写体像を表示するときは前記第３の被写体像及び前記画像関連情報の何れか一方を前記表示手段の表示領域における空き領域に表示するように前記表示手段を制御することを特徴とするデジタルカメラ。
【請求項２】
前記制御手段は、前記第１の被写体像を表示するときは当該第１の被写体像を縮小させて表示するか、又は当該第１の被写体像の一部領域のみを切り出して表示することによって前記表示手段の表示領域に空き領域を設け、当該空き領域に前記第３の被写体像及び前記画像関連情報の何れか一方を表示するように前記表示手段を制御する
請求項１記載のデジタルカメラ。
【請求項３】
前記第３の被写体像を、前記撮像手段による撮像によって既に撮影された被写体像の再生画像とした
請求項１又は請求項２記載のデジタルカメラ。
【請求項４】
前記第３の被写体像を、前記撮像手段による撮像によって既に撮影された複数の被写体像の再生画像とした
請求項３記載のデジタルカメラ。
【請求項５】
前記第３の被写体像として表示された再生画像の消去を指示する消去指示情報を入力する消去指示入力手段を更に備え、
前記制御手段は、前記消去指示情報により消去が指示された再生画像を消去するための制御を行う
請求項３又は請求項４記載のデジタルカメラ。
【請求項６】
前記画像関連情報を、表示する前記第１の被写体像又は前記第２の被写体像に対する撮影条件に関する情報又は輝度分布を示すヒストグラム情報とした
請求項１乃至請求項５の何れか１項記載のデジタルカメラ。
【請求項７】
前記第１の被写体像のアスペクト比を１６：９とし、前記第２の被写体像のアスペクト比を４：３とした
請求項１乃至請求項６の何れか１項記載のデジタルカメラ。
【発明の詳細な説明】
【技術分野】
【０００１】
本発明は、デジタルカメラに係り、特に、撮影された被写体像を表示するための液晶ディスプレイ等の表示手段を備えたデジタルカメラに関する。
【背景技術】
【０００２】
被写体像のモニタ用に液晶ディスプレイ等のディスプレイ装置が搭載されたデジタルカメラでは、一般に、当該ディスプレイ装置を、撮影時には撮像素子による連続的な撮像によって得られた動画像（スルー画像）を表示してファインダとして用い、撮影後には、撮影によって得られたデジタル画像データによる被写体像を再生表示するために用いている。
【０００３】
この種のディスプレイ装置を備えたデジタルカメラに関する技術として、従来、撮影画像と撮影情報の両方の視認性を向上させることを目的として、撮影画像と撮影情報を各々別々の表示装置で表示させる技術があった（例えば、特許文献１参照。）。
【０００４】
また、動画像の表示を中断することなく、撮像された静止画像を確認できるようにすることを目的として、被写体像を動画像として表示する動画像表示手段を備えた撮像装置であって、撮像された被写体像を静止画像として記録すると共に、記録した静止画像を前記動画像の表示領域とは別の表示領域に表示させる技術もあった（例えば、特許文献２参照。）。
【０００５】
更に、製造コストが増大することなく小型化が容易で、かつ操作性を向上させることを目的として、１つの表示部に、設定情報に基づいて作成される画像を表示する第１表示領域と、撮像によって得られた画像信号により示される被写体像を表示する第２表示領域との２つの表示領域を設けると共に、各表示領域を構成する走査線の位置及び数を変更可能に構成した技術もあった（例えば、特許文献３参照。）。
【特許文献１】特開２００１−２９２３４９公報
【特許文献２】特開平１０−３２７３４号公報
【特許文献３】特開２００２−５７９１７公報
【発明の開示】
【発明が解決しようとする課題】
【０００６】
しかしながら、上述した、撮影画像と撮影情報を各々別々の表示装置で表示させる技術では、撮影画像を縮小することなく表示することができるため、当該撮影画像に対する視認性を向上させることはできるものの、撮影情報を撮影画像とは異なる表示装置により表示しているので、撮影画像を参照しつつ撮影情報を参照したい場合には視線を各表示装置間で移動させる必要があり、必ずしも視認性に優れているとは言えない、という問題点があった。
【０００７】
また、上述した、記録した静止画像を動画像の表示領域とは別の表示領域に表示させる技術では、静止画像及び動画像の少なくとも一方を縮小して表示する必要があり、必ずしも視認性に優れているとは言えない、という問題点があった。
【０００８】
更に、上述した、表示部に、第１表示領域及び第２表示領域の２つの表示領域を設け、かつ各表示領域を構成する走査線の位置及び数を変更可能に構成した技術では、被写体像の一部を削除して表示する必要があるため、当該被写体像については必ずしも視認性に優れているとは言えない、という問題点があった。
【０００９】
本発明は上記問題点を解消するためになされたものであり、被写体像表示用の表示手段に対する視認性を向上させることができるデジタルカメラを提供することを目的とする。
【課題を解決するための手段】
【００１０】
上記目的を達成するために、請求項１記載のデジタルカメラは、撮像によって被写体像を示すデジタル画像データを取得する撮像手段と、前記デジタル画像データにより示される被写体像を表示するための表示手段と、前記デジタル画像データにより示されると共に前記表示手段による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像に関連する画像関連情報との何れか一方を表示するように前記表示手段を制御する制御手段と、を備え、前記制御手段は、前記第１の被写体像を表示するときは前記第３の被写体像及び前記画像関連情報の何れか一方を前記第１の被写体像に重ねて表示するように前記表示手段を制御し、前記第２の被写体像を表示するときは前記第３の被写体像及び前記画像関連情報の何れか一方を前記表示手段の表示領域における空き領域に表示するように前記表示手段を制御することを特徴としたものである。
【００１１】
請求項１に記載のデジタルカメラによれば、撮像手段による撮像によって被写体像を示すデジタル画像データが取得され、当該デジタル画像データにより示される被写体像が表示手段によって表示される。なお、上記撮像手段には、電荷結合素子、ＣＭＯＳイメージ・センサ等の各種撮像素子が含まれる。また、上記表示手段には、液晶ディスプレイ、ＣＲＴディスプレイ、プラズマディスプレイ、有機ＥＬディスプレイ等の各種ディスプレイが含まれる。
【００１２】
また、本発明では、制御手段により、前記デジタル画像データにより示されると共に前記表示手段による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像に関連する画像関連情報との何れか一方を表示するように前記表示手段が制御される。これによって、表示手段の表示領域には、第１の被写体像又は第２の被写体像と、第３の被写体像又は画像関連情報と、の２種類のものが表示される。
【００１３】
ここで、本発明では、前記制御手段により、前記第１の被写体像を表示するときは前記第３の被写体像及び前記画像関連情報の何れか一方を前記第１の被写体像に重ねて表示するように前記表示手段が制御され、前記第２の被写体像を表示するときは前記第３の被写体像及び前記画像関連情報の何れか一方を前記表示手段の表示領域における空き領域に表示するように前記表示手段が制御される。
【００１４】
すなわち、本発明では、表示する被写体像が表示手段の表示領域とアスペクト比が同一である第１の被写体像である場合には、第１の被写体像に第３の被写体像又は画像関連情報を重ねて表示することにより、第１の被写体像を縮小したり、第１の被写体像の一部領域を切り出すことなく当該第１の被写体像の全域を表示できるようにしており、これによって当該第１の被写体像に対する視認性を向上させるようにしている。
【００１５】
一方、本発明では、表示する被写体像が表示手段の表示領域とアスペクト比が異なる第２の被写体像である場合には、第２の被写体像を縮小したり、第２の被写体像の一部領域を切り出すことなく当該第２の被写体像の全域を表示させても、表示手段の表示領域には空き領域ができるため、当該空き領域に第３の被写体像又は画像関連情報を表示させるようにしており、これによって、第２の被写体像と、これと同時に表示する第３の被写体像又は画像関連情報の双方に対する視認性を向上させるようにしている。
【００１６】
このように、請求項１に記載のデジタルカメラによれば、表示手段による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像に関連する画像関連情報との何れか一方を表示するように前記表示手段を制御するに際し、前記第１の被写体像を表示するときは前記第３の被写体像及び前記画像関連情報の何れか一方を前記第１の被写体像に重ねて表示するように前記表示手段を制御し、前記第２の被写体像を表示するときは前記第３の被写体像及び前記画像関連情報の何れか一方を前記表示手段の表示領域における空き領域に表示するように前記表示手段を制御しているので、被写体像表示用の表示手段に対する視認性を向上させることができる。
【００１７】
ところで、被写体像における主要被写体の位置やサイズ等の状態によっては当該被写体像を縮小したり、当該被写体像の一部領域のみを切り出して表示しても視認性に支障を生じない場合がある。
【００１８】
そこで、本発明の前記制御手段は、請求項２に記載の発明のように、前記第１の被写体像を表示するときは当該第１の被写体像を縮小させて表示するか、又は当該第１の被写体像の一部領域のみを切り出して表示することによって前記表示手段の表示領域に空き領域を設け、当該空き領域に前記第３の被写体像及び前記画像関連情報の何れか一方を表示するように前記表示手段を制御するようにしてもよい。これによって、表示する第３の被写体像又は画像関連情報に対する視認性を向上させることができる。
【００１９】
なお、本発明は、請求項３に記載の発明のように、前記第３の被写体像を、前記撮像手段による撮像によって既に撮影された被写体像の再生画像としてもよい。これによって、表示する第１の被写体像又は第２の被写体像と共に当該再生画像も１画面内に表示することができ、利便性を向上させることができる。
【００２０】
また、請求項３に記載の発明は、請求項４に記載の発明のように、前記第３の被写体像を、前記撮像手段による撮像によって既に撮影された複数の被写体像の再生画像としてもよい。これによって、表示する第１の被写体像又は第２の被写体像と共に当該複数の被写体像の再生画像も１画面内に表示することができ、利便性を更に向上させることができる。
【００２１】
また、請求項３又は請求項４に記載の発明は、請求項５に記載の発明のように、前記第３の被写体像として表示された再生画像の消去を指示する消去指示情報を入力する消去指示入力手段を更に備え、前記制御手段は、前記消去指示情報により消去が指示された再生画像を消去するための制御を行うものとしてもよい。これによって、撮影によって既に得られている被写体像を消去する際の利便性を向上させることができる。
【００２２】
また、本発明は、請求項６に記載の発明のように、前記画像関連情報を、表示する前記第１の被写体像又は前記第２の被写体像に対する撮影条件に関する情報又は輝度分布を示すヒストグラム情報としてもよい。これによって、ユーザは、これらの各情報を視認性のよい状態で容易に把握することができる。
【００２３】
更に、本発明は、請求項７に記載の発明のように、前記第１の被写体像のアスペクト比を１６：９とし、前記第２の被写体像のアスペクト比を４：３としてもよい。これによって、今後の急激な普及が予測されるワイドサイズの表示領域とされた表示手段に対応することができる。
【発明の効果】
【００２４】
本発明によれば、表示手段による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像に関連する画像関連情報との何れか一方を表示するように前記表示手段を制御するに際し、前記第１の被写体像を表示するときは前記第３の被写体像及び前記画像関連情報の何れか一方を前記第１の被写体像に重ねて表示するように前記表示手段を制御し、前記第２の被写体像を表示するときは前記第３の被写体像及び前記画像関連情報の何れか一方を前記表示手段の表示領域における空き領域に表示するように前記表示手段を制御しているので、被写体像表示用の表示手段に対する視認性を向上させることができる、という効果が得られる。
【発明を実施するための最良の形態】
【００２５】
以下、図面を参照して、本発明の実施の形態について詳細に説明する。
【００２６】
まず、図１を参照して、本実施の形態に係るデジタルカメラ１０の外観上の構成を説明する。
【００２７】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２８】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３０】
また、モード切替スイッチ５６Ｃは、撮影を行うモードである撮影モード及び被写体像を後述するＬＣＤ３８に再生するモードである再生モードの何れかのモードに設定する際に回転操作される。
【００３１】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。なお、本実施の形態に係るデジタルカメラ１０では、ＬＣＤ３８として、表示領域のアスペクト比が１６：９とされた所謂ワイドサイズのものが適用されている。
【００３２】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３３】
次に、図２を参照して、本実施の形態に係るデジタルカメラ１０の電気系の主要構成を説明する。
【００３４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３６】
なお、デジタル信号処理部３０は、所定容量のラインバッファを内蔵し、入力されたデジタルデータを後述するメモリ４８の所定領域に直接記憶させる制御も行う。
【００３７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３８】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３９】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４０】
なお、本実施の形態のデジタルカメラ１０では、メモリ４８としてＶＲＡＭ（Video RAM）が用いられ、メモリカード５２としてスマートメディア（Smart Media(R)）が用いられている。
【００４１】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００４２】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４３】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４４】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４５】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４７】
次に、本実施の形態に係るデジタルカメラ１０の撮影時における全体的な動作について簡単に説明する。
【００４８】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４９】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５０】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５１】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５２】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５３】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５４】
ところで、本実施の形態に係るデジタルカメラ１０では、メニュースイッチを押圧操作することによってＬＣＤ３８に表示されるメニュー画面上で、撮像された被写体像のアスペクト比を１６：９及び４：３の何れか一方に選択的に設定することができる。そして、デジタルカメラ１０では、撮影モード実行時には、設定されたアスペクト比の被写体像がＬＣＤ３８にスルー画像として表示されると共に、レリーズスイッチ５６Ａが全押し状態とされた際に、設定させたアスペクト比の被写体像を示すデジタル画像データがメモリカード５２に記録される。
【００５５】
ここで、本実施の形態に係るデジタルカメラ１０では、ＣＣＤ２４として撮像エリアのアスペクト比が４：３のものを適用しており、ユーザにより被写体像のアスペクト比として１６：９が設定された場合には、ＣＣＤ２４による撮像によって得られたデジタル画像データから、当該デジタル画像データにより示される被写体像の上端部側の画像領域と下端部側の画像領域とが均等に削除されるように画素データを削除することによって１６：９のアスペクト比の被写体像を示すものとなるようにしている。
【００５６】
なお、この形態に限らず、例えば、ＣＣＤ２４として撮像エリアのアスペクト比が１６：９のものを適用した場合において、ユーザにより被写体像のアスペクト比として４：３が設定された場合には、ＣＣＤ２４による撮像によって得られたデジタル画像データから、当該デジタル画像データにより示される被写体像の左端部側の画像領域と右端部側の画像領域とが均等に削除されるように画素データを削除することによって４：３のアスペクト比の被写体像を示すものとなるようにすることもできる。
【００５７】
一方、本実施の形態に係るデジタルカメラ１０では、メニュースイッチを押圧操作することによってＬＣＤ３８に表示されるメニュー画面上で、ＬＣＤ３８による表示画像に関して次に示す４種類の動作モードの何れかの実行を選択的に設定することもできる。
【００５８】
第１の動作モードは、撮影モード実行時においてＬＣＤ３８にスルー画像と共に、メモリカード５２に記録されている何れかのデジタル画像データ（ここでは、その時点の直前（直近）に記録されたデジタル画像データ）により示される被写体像を再生表示させる撮影時画像再生併用モード（以下、「第１動作モード」という。）である。
【００５９】
また、第２の動作モードは、撮影モード実行時においてＬＣＤ３８にスルー画像と共に、デジタルカメラ１０の撮影条件に関する情報を表示させる撮影時撮影条件表示モード（以下、「第２動作モード」という。）である。
【００６０】
一方、第３の動作モードは、再生モード実行時においてＬＣＤ３８に所定の再生画像と共に、メモリカード５２に記録されている何れかのデジタル画像データ（ここでは、その時点の直前（直近）に記録されたデジタル画像データ）により示される他の被写体像を再生表示させる再生時画像再生併用モード（以下、「第３動作モード」という。）である。
【００６１】
更に、第４の動作モードは、再生モード実行時においてＬＣＤ３８に所定の再生画像と共に、当該再生画像の撮影時における撮影条件に関する情報を表示させる再生時撮影条件表示モード（以下、「第４動作モード」という。）である。
【００６２】
なお、錯綜を回避するために、以下では、第１動作モード及び第２動作モードの何れか一方と、第３動作モード及び第４動作モードの何れか一方がデジタルカメラ１０のユーザによって予め設定されている場合について説明する。
【００６３】
次に、これらの設定されている動作モードを実行するためにデジタルカメラ１０で実行される処理（以下、「動作モード処理」という。）について説明する。まず、図３を参照して、撮影モード実行時における動作モード処理について説明する。なお、図３は、当該動作モード処理のためにＣＰＵ４０によって所定期間毎に実行される撮影表示処理プログラムの処理の流れを示すフローチャートである。
【００６４】
同図のステップ１００では、ユーザによって設定されている被写体像のアスペクト比が１６：９であるか否かを判定することにより、ワイドサイズでの撮影が設定されているか否かを判定し、肯定判定となった場合はステップ１０２に移行して、ユーザによって設定されている動作モードが第１動作モード（撮影時画像再生併用モード）であるか否かを判定し、肯定判定となった場合はステップ１０４に移行する。
【００６５】
ステップ１０４では、ワイドサイズとされている被写体像のスルー画像から一部領域（本実施の形態では、左右方向中央部を中心として上下方向幅を削ることなくアスペクト比を４：３とする領域）を切り出してＬＣＤ３８の左右方向一端部側（本実施の形態では、左端部側）にスルー画像として表示させると共に、予め定められた再生画像（本実施の形態では、この時点の直前（直近）の撮影によってメモリカード５２に記録された被写体像）をＬＣＤ３８の左右方向他端部側の空き領域に表示させることのできる画像信号を生成してＬＣＤインタフェース３６に供給する。
【００６６】
本ステップ１０４の処理により、一例として図４に示すように、スルー画像の一部領域と、直前の撮影によって得られたデジタル画像データにより示される被写体像の再生画像がＬＣＤ３８に表示される。
【００６７】
次のステップ１０６では、画像選択消去処理を次のように実行する。
【００６８】
まず、ＣＰＵ４０は、図４に示すように、ＬＣＤ３８に表示中の再生画像を他の撮影済み画像に切換える際に操作するスイッチ（本実施の形態では、十字カーソルスイッチ５６Ｄにおける左方向矢印キー及び右方向矢印キー）を示す記号と、表示している再生画像に対応するデジタル画像データをメモリカード５２から消去する際に指定する「消去」ボタンとをＬＣＤ３８にＯＳＤ（On Screen Display）機能により表示させる。
【００６９】
これに応じて、デジタルカメラ１０のユーザは、表示している再生画像を他の撮影済み画像に切換える際には、十字カーソルスイッチ５６Ｄの左方向矢印キー及び右方向矢印キーを操作する。また、ユーザは、表示されている再生画像に対応するデジタル画像データをメモリカード５２から消去する際には、十字カーソルスイッチ５６Ｄの残りの矢印キーの操作により「消去」ボタンを指定する。
【００７０】
そこで、ＣＰＵ４０は、左方向矢印キーが１回押圧操作される度に撮影時点が１つ前のものに再生画像を切換えるための制御を行い、右方向矢印キーが１回押圧操作される度に撮影時点が１つ後のものに再生画像を切換えるための制御を行う。そして、ＣＰＵ４０は、ユーザによって「消去」ボタンが指定された場合には、その時点でＬＣＤ３８に表示されている再生画像に対応するデジタル画像データをメモリカード５２から消去する。
【００７１】
以上のような画像選択消去処理を実行した後、本撮影表示処理プログラムを終了する。
【００７２】
一方、上記ステップ１０２において否定判定となった場合には、ユーザによって設定されている動作モードが第２動作モード（撮影時撮影条件表示モード）であるものと見なしてステップ１０８に移行する。
【００７３】
ステップ１０８では、ワイドサイズとされている被写体像のスルー画像を削ることなく表示させると共に、予め定められた撮影条件に関する情報（本実施の形態では、この時点でデジタルカメラ１０に設定されているストロボ発光設定、マクロ撮影設定の有無、ＩＳＯ感度、画像品質、絞り設定、シャッタースピードの各情報）をＬＣＤ３８にＯＳＤ機能により表示させることのできる画像信号を生成してＬＣＤインタフェース３６に供給する。
【００７４】
本ステップ１０８の処理により、一例として図５に示すように、ＬＣＤ３８にはスルー画像全体が表示領域全面に表示されると共に、当該スルー画像上に重ねられた状態で、この時点で設定されている撮影条件を示す情報が表示される。
【００７５】
以上のようなステップ１０８の処理を実行した後、本撮影表示処理プログラムを終了する。
【００７６】
一方、上記ステップ１００において否定判定となった場合は、ユーザによって設定されている被写体像のアスペクト比が４：３であるものと見なしてステップ１１０に移行する。
【００７７】
ステップ１１０では、ユーザによって設定されている動作モードが第１動作モード（撮影時画像再生併用モード）であるか否かを判定し、肯定判定となった場合はステップ１１２に移行する。
【００７８】
ステップ１１２では、アスペクト比が４：３とされている被写体像のスルー画像をＬＣＤ３８の左右方向一端部側（本実施の形態では、左端部側）に表示させると共に、予め定められた再生画像（本実施の形態では、この時点の直前（直近）の撮影によってメモリカード５２に記録された被写体像）をＬＣＤ３８の左右方向他端部側の空き領域に表示させることのできる画像信号を生成してＬＣＤインタフェース３６に供給する。
【００７９】
本ステップ１１２の処理により、一例として図６に示すように、スルー画像と、直前の撮影によって得られたデジタル画像データにより示される被写体像の再生画像がＬＣＤ３８に表示される。
【００８０】
次のステップ１１４では、前述したステップ１０６と同様に画像選択消去処理を実行し、その後に本撮影表示処理プログラムを終了する。
【００８１】
一方、上記ステップ１１０において否定判定となった場合には、ユーザによって設定されている動作モードが第２動作モード（撮影時撮影条件表示モード）であるものと見なしてステップ１１６に移行する。
【００８２】
ステップ１１６では、アスペクト比が４：３とされている被写体像のスルー画像をＬＣＤ３８の左右方向一端部側（本実施の形態では、左端部側）に表示させると共に、予め定められた撮影条件に関する情報（本実施の形態では、この時点でデジタルカメラ１０に設定されている撮影画像の解像度、画像品質、シャッタースピード、絞り設定、ＩＳＯ感度の各情報）をＬＣＤ３８の左右方向他端部側の空き領域に表示させることのできる画像信号を生成してＬＣＤインタフェース３６に供給する。
【００８３】
本ステップ１１６の処理により、一例として図７に示すように、ＬＣＤ３８にはスルー画像全体がＬＣＤ３８の左端部側に表示されると共に、この時点で設定されている撮影条件を示す情報がＬＣＤ３８の右端部側に表示される。
【００８４】
以上のようなステップ１１６の処理を実行した後、本撮影表示処理プログラムを終了する。
【００８５】
次に、図８を参照して、再生モード実行時における動作モード処理について説明する。なお、図８は、当該動作モード処理のためにＣＰＵ４０によって所定期間毎に実行される再生表示処理プログラムの処理の流れを示すフローチャートである。
【００８６】
同図のステップ２００では、ＬＣＤ３８によって再生するべくユーザによって予め選択された撮影画像のアスペクト比が１６：９であるか否かを判定することにより、ワイドサイズの被写体像を再生するか否かを判定し、肯定判定となった場合はステップ２０２に移行して、ユーザによって設定されている動作モードが第３動作モード（再生時画像再生併用モード）であるか否かを判定し、肯定判定となった場合はステップ２０４に移行する。
【００８７】
ステップ２０４では、ワイドサイズとされている被写体像から一部領域（本実施の形態では、左右方向中央部を中心として上下方向幅を削ることなくアスペクト比を４：３とする領域）を切り出してＬＣＤ３８の左右方向一端部側（本実施の形態では、左端部側）に再生画像として表示させると共に、予め定められた再生画像（本実施の形態では、この時点の直前（直近）の撮影によってメモリカード５２に記録された被写体像）をＬＣＤ３８の左右方向他端部側の空き領域に表示させることのできる画像信号を生成してＬＣＤインタフェース３６に供給する。
【００８８】
なお、本ステップ２０４の処理によってＬＣＤ３８に表示される画像は、図４に示した表示画面に対し、スルー画像に代えてユーザによって予め選択された再生画像の一部領域が表示されることのみが異なるため、ここでの図示は省略する。
【００８９】
次のステップ２０６では、画像選択消去処理を前述した撮影表示処理プログラム（図３も参照。）のステップ１０６の処理と同様に実行し、その後に本再生表示処理プログラムを終了する。
【００９０】
一方、上記ステップ２０２において否定判定となった場合には、ユーザによって設定されている動作モードが第４動作モード（再生時撮影条件表示モード）であるものと見なしてステップ２０８に移行する。
【００９１】
ステップ２０８では、ユーザによって予め選択された再生画像であり、ワイドサイズとされている再生画像を削ることなく表示させると共に、予め定められた撮影条件に関する情報（本実施の形態では、当該再生画像の撮影時にデジタルカメラ１０で設定されていたストロボ発光設定、マクロ撮影設定の有無、ＩＳＯ感度、画像品質、絞り設定、シャッタースピードの各情報）をＬＣＤ３８にＯＳＤ機能により表示させることのできる画像信号を生成してＬＣＤインタフェース３６に供給する。
【００９２】
なお、本ステップ２０８の処理によってＬＣＤ３８に表示される画像は、図５に示した表示画面に対し、スルー画像に代えてユーザによって予め選択された再生画像が表示されることのみが異なるため、ここでの図示は省略する。
【００９３】
以上のようなステップ２０８の処理を実行した後、本再生表示処理プログラムを終了する。
【００９４】
一方、上記ステップ２００において否定判定となった場合は、ユーザによって予め選択された再生画像のアスペクト比が４：３であるものと見なしてステップ２１０に移行する。
【００９５】
ステップ２１０では、ユーザによって設定されている動作モードが第３動作モード（再生時画像再生併用モード）であるか否かを判定し、肯定判定となった場合はステップ２１２に移行する。
【００９６】
ステップ２１２では、ユーザによって予め選択された再生画像であり、アスペクト比が４：３とされている再生画像をＬＣＤ３８の左右方向一端部側（本実施の形態では、左端部側）に表示させると共に、予め定められた再生画像（本実施の形態では、この時点の直前（直近）の撮影によってメモリカード５２に記録された被写体像）をＬＣＤ３８の左右方向他端部側の空き領域に表示させることのできる画像信号を生成してＬＣＤインタフェース３６に供給する。
【００９７】
なお、本ステップ２１２の処理によってＬＣＤ３８に表示される画像は、図６に示した表示画面に対し、スルー画像に代えてユーザによって予め選択された再生画像全体が表示されることのみが異なるため、ここでの図示は省略する。
【００９８】
次のステップ２１４では、前述したステップ２０６と同様に画像選択消去処理を実行し、その後に本再生表示処理プログラムを終了する。
【００９９】
一方、上記ステップ２１０において否定判定となった場合には、ユーザによって設定されている動作モードが第４動作モード（再生時撮影条件表示モード）であるものと見なしてステップ２１６に移行する。
【０１００】
ステップ２１６では、ユーザによって予め選択された再生画像であり、アスペクト比が４：３とされている再生画像をＬＣＤ３８の左右方向一端部側（本実施の形態では、左端部側）に表示させると共に、予め定められた撮影条件に関する情報（本実施の形態では、当該再生画像の撮影時にデジタルカメラ１０で設定されていた撮影画像の解像度、画像品質、シャッタースピード、絞り設定、ＩＳＯ感度の各情報）をＬＣＤ３８の左右方向他端部側の空き領域に表示させることのできる画像信号を生成してＬＣＤインタフェース３６に供給する。
【０１０１】
なお、本ステップ２１６の処理によってＬＣＤ３８に表示される画像は、図７に示した表示画面に対し、スルー画像に代えてユーザによって予め選択された再生画像が表示されることのみが異なるため、ここでの図示は省略する。
【０１０２】
以上のようなステップ２１６の処理を実行した後、本再生表示処理プログラムを終了する。
【０１０３】
以上詳細に説明したように、本実施の形態では、表示手段（ＬＣＤ３８）による表示領域と同一のアスペクト比とされた第１の被写体像と、前記表示領域とは異なるアスペクト比とされた第２の被写体像との何れか一方を表示すると共に、表示する前記第１の被写体像又は前記第２の被写体像とは異なる第３の被写体像と、表示する前記第１の被写体像又は前記第２の被写体像に関連する画像関連情報（撮影条件に関する情報）との何れか一方を表示するように前記表示手段を制御するに際し、前記第１の被写体像を表示するときは前記第３の被写体像及び前記画像関連情報の何れか一方を前記第１の被写体像に重ねて表示するように前記表示手段を制御し、前記第２の被写体像を表示するときは前記第３の被写体像及び前記画像関連情報の何れか一方を前記表示手段の表示領域における空き領域に表示するように前記表示手段を制御しているので、被写体像表示用の表示手段に対する視認性を向上させることができる。
【０１０４】
また、本実施の形態では、前記第１の被写体像を表示するときは当該第１の被写体像の一部領域のみを切り出して表示することによって前記表示手段の表示領域に空き領域を設け、当該空き領域に前記第３の被写体像を表示するように前記表示手段を制御しているので、第３の被写体像に対する視認性を向上させることができる。
【０１０５】
また、本実施の形態では、前記第３の被写体像を、既に撮影された被写体像の再生画像としているので、表示する第１の被写体像又は第２の被写体像と共に当該再生画像も１画面内に表示することができ、利便性を向上させることができる。
【０１０６】
また、本実施の形態では、前記第３の被写体像として表示された再生画像の消去の指示入力を可能に構成すると共に、当該消去の指示が入力された際に、これに応じた消去処理を行っているので、撮影によって既に得られている被写体像を消去する際の利便性を向上させることができる。
【０１０７】
また、本実施の形態では、前記画像関連情報を、表示する前記第１の被写体像又は前記第２の被写体像に対する撮影条件に関する情報としているので、ユーザは、当該情報を視認性のよい状態で容易に把握することができる。
【０１０８】
更に、本実施の形態では、前記第１の被写体像のアスペクト比を１６：９とし、前記第２の被写体像のアスペクト比を４：３としているので、今後の急激な普及が予測されるワイドサイズの表示領域とされた表示手段に対応することができる。
【０１０９】
なお、本実施の形態では、本発明を静止画像の撮影を行うデジタルカメラに適用した場合について説明したが、本発明はこれに限定されるものではなく、例えば、静止画像の撮影に加え、動画像の撮影を行う機能を有するデジタルカメラに適用する形態とすることもできる。この場合、本実施の形態における再生画像として、当該デジタルカメラによる撮影によって得られた動画像を適用する形態とすることもできる。この場合も、本実施の形態と同様の効果を奏することができる。
【０１１０】
また、本実施の形態では、ＬＣＤ３８にスルー画像や予め選択した再生画像と共に表示させる再生画像として１枚分の撮影済み画像を適用した場合（図４及び図６参照。）について説明したが、本発明はこれに限定されるものではなく、例えば、一例として図９に示すように、複数の撮影済み画像を適用する形態とすることもできる。この場合は、当該複数の撮影済み画像の何れか１枚を選択可能にすると共に、選択された撮影済み画像に対応するデジタル画像データをメモリカード５２から消去可能に構成することが好ましい。これによって、スルー画像や再生画像と共に当該複数の被写体像の再生画像も１画面内に表示することができ、利便性を更に向上させることができる。
【０１１１】
また、本実施の形態では、ＬＣＤ３８にスルー画像や予め選択した再生画像と共に表示させる画像関連情報として撮影条件を示す情報を適用した場合（図５及び図７参照。）について説明したが、本発明はこれに限定されるものではなく、例えば、一例として図１０に示すように、表示している画像（スルー画像又は再生画像）における輝度分布を示すヒストグラムを適用する形態とすることもできる。この場合、ユーザは、当該ヒストグラムを視認性のよい状態で容易に把握することができる。
【０１１２】
その他、本実施の形態に係るデジタルカメラ１０の構成（図１、図２参照。）は一例であり、本発明の主旨を逸脱しない範囲内において適宜変更可能であることは言うまでもない。
【０１１３】
例えば、本実施の形態では、本発明の表示手段として、表示領域のアスペクト比が１６：９とされたＬＣＤ３８を適用したが、例えば、表示領域のアスペクト比が４：３のＬＣＤを適用する形態とすることもできる。
【０１１４】
この場合、当該ＬＣＤに表示すべき画像が１６：９のアスペクト比とされたものである場合には、当該画像を一部削除することなくＬＣＤに表示した場合には表示領域に空き領域ができるため、当該空き領域に再生画像や画像関連情報を表示させるようにする。また、この場合、当該ＬＣＤに表示すべき画像が４：３のアスペクト比とされたものである場合には、当該画像の一部を削除してＬＣＤに表示すると共に、当該削除によって得られた表示領域の空き領域に再生画像や画像関連情報を表示させるようにするか、又は、当該画像を削ることなくＬＣＤに表示すると共に、これに重ねて再生画像や画像関連情報を表示させるようにする。この場合も、本実施の形態と同様の効果を奏することができる。
【０１１５】
また、本実施の形態において説明した撮影表示処理プログラムや再生表示処理プログラムの処理の流れ（図３及び図８参照。）も一例であり、本発明の主旨を逸脱しない範囲内において適宜変更可能であることは言うまでもない。
【０１１６】
例えば、撮影表示処理プログラムのステップ１０４の処理や再生表示処理プログラムのステップ２０４の処理において、スルー画像又は再生画像の一部領域のみ切り出してＬＣＤ３８に表示させていたが、当該スルー画像又は再生画像の全体を縮小させて表示させる形態とすることもできる。この場合も、本実施の形態と同様の効果を奏することができる。
【図面の簡単な説明】
【０１１７】
【図１】実施の形態に係るデジタルカメラ１０の外観を示す外観図である。
【図２】実施の形態に係るデジタルカメラ１０の電気系の主要構成を示すブロック図である。
【図３】実施の形態に係る撮影表示処理プログラムの処理の流れを示すフローチャートである。
【図４】実施の形態に係る撮影表示処理プログラムのステップ１０４の処理によるＬＣＤ３８の表示状態の一例を示す概略図である。
【図５】実施の形態に係る撮影表示処理プログラムのステップ１０８の処理によるＬＣＤ３８の表示状態の一例を示す概略図である。
【図６】実施の形態に係る撮影表示処理プログラムのステップ１１２の処理によるＬＣＤ３８の表示状態の一例を示す概略図である。
【図７】実施の形態に係る撮影表示処理プログラムのステップ１１６の処理によるＬＣＤ３８の表示状態の一例を示す概略図である。
【図８】実施の形態に係る再生表示処理プログラムの処理の流れを示すフローチャートである。
【図９】図４及び図６に示したＬＣＤ３８の表示状態の変形例を示す概略図である。
【図１０】図７に示したＬＣＤ３８の表示状態の変形例を示す概略図である。
【符号の説明】
【０１１８】
１０    デジタルカメラ
２４    ＣＣＤ（撮像手段）
３８    液晶ディスプレイ（表示手段）
４０    ＣＰＵ（制御手段）
５６Ｄ    十字カーソルスイッチ（消去指示入力手段）
【図１】
2005253003.tif 000003
【図２】
2005253003.tif 000004
【図３】
2005253003.tif 000005
【図４】
2005253003.tif 000006
【図５】
2005253003.tif 000007
【図６】
2005253003.tif 000008
【図７】
2005253003.tif 000009
【図８】
2005253003.tif 000010
【図９】
2005253003.tif 000011
【図１０】
2005253003.tif 000012